(57)【要約】【課題】現場からサーバに接続することなく携帯端末によって関連する複数の設備を特定して作業を漏れなく進めることができ、また作業の進捗情報を現場に残して管理することのできる作業管理システムを提供する。【解決手段】装置ＩＣタグ４１は作業対象の設備が複数配置された領域Ｅ内の代表設備ＦＲに対して設けられ、該領域Ｅ内に在る作業対象の複数の設備を特定するための特定情報と作業の進捗情報とが記憶される。携帯端末２０は、装置ＩＣタグ４１から読み取った上記情報から、該装置ＩＣタグ４１の設けられている領域Ｅに配置されている全設備とそれらの設備に対する作業の進捗状況とを認識し、該進捗状況に対応する作業工程から作業の音声案内を行い、この領域Ｅでの作業の終了または中断時は、その時点での作業の進捗情報を装置ＩＣタグ４１に書き込む。【選択図】図１
2008226074.tif 000002
【特許請求の範囲】
【請求項１】
作業対象の設備が複数配置された領域に対して設けられた情報記憶媒体と、この情報記憶媒体に対して情報を読み書きする携帯端末とを備え、
前記情報記憶媒体は、該情報記憶媒体が設けられた領域に在る作業対象の設備を特定するための特定情報と前記設備に関する作業の進捗状況を示す進捗情報とを記憶するものであり、
前記携帯端末は、前記情報記憶媒体から読み取った前記特定情報および前記進捗情報に基づいて、前記情報記憶媒体の設けられている領域に在る作業対象の設備とその設備に関する作業の進捗状況を表示する機能と、前記領域での作業の終了または中断時に、前記領域に在る前記作業対象の設備に関する前記進捗情報を前記情報記憶媒体に書き込む機能とを有する
ことを特徴とする作業管理システム。
【請求項２】
複数の設備が属する設備グループに対して設けられた情報記憶媒体と、この情報記憶媒体に対して情報を読み書きする携帯端末とを備え、
前記情報記憶媒体は、該情報記憶媒体が設けられた設備グループに属する設備を特定するための特定情報と前記設備に関する作業の進捗状況を示す進捗情報とを記憶するものであり、
前記携帯端末は、前記情報記憶媒体から読み取った前記特定情報および前記進捗情報に基づいて、前記情報記憶媒体が設けられている設備グループに属する設備とその設備に関する作業の進捗状況とを表示する機能と、前記設備グループに対する作業の終了または中断時に、前記設備グループに属する前記設備に関する作業の進捗状況を示す進捗情報を前記情報記憶媒体に書き込む機能とを有する
ことを特徴とする作業管理システム。
【請求項３】
前記制御手段は、作業の中断もしくは終了時に、作業者名およびまたは日時情報を前記情報記憶媒体にさらに書き込む
ことを特徴とする請求項１または２に記載の作業管理システム。
【請求項４】
前記携帯端末は、作業の履歴を記憶する
ことを特徴とする請求項１乃至３のいずれか１つに記載の作業管理システム。
【請求項５】
前記携帯端末は、
前記各設備に関する作業内容を示す作業手続きデータを記憶する記憶手段と、
前記記憶手段に記憶されている作業手続きデータに基づいて作業内容を表示する表示手段と、
前記記憶手段に記憶されている前記作業手続きデータのうち前記情報記憶媒体から読み取った特定情報によって特定される設備の作業手続きデータを使用して、前記表示手段に前記情報記憶媒体から読み取った進捗情報に対応する作業内容を表示させる制御手段と、
を備える
ことを特徴とする請求項１乃至４のいずれか１つに記載の作業管理システム。
【請求項６】
前記制御手段は、前記表示手段によって作業内容を表示した作業工程に対する作業の終了通知を受けたとき、次の作業工程に対する作業内容を前記表示手段に表示させる
ことを特徴とする請求項５に記載の作業管理システム。
【請求項７】
前記制御手段は、作業者の発した音声を音声入力部から取り込んで音声認識し、前記表示手段によって作業内容を表示した後に前記音声認識で特定の語句が認識されたとき前記終了通知を受けたと判断する
ことを特徴とする請求項６に記載の作業管理システム。
【請求項８】
作業の実施計画を示す作業計画データが記憶された作業計画記憶部と、
前記携帯端末にデータを転送する転送部と
指定された作業期間に実施が計画されている作業を前記作業計画表データから割り出し、該作業に対応する作業手続きデータを前記転送部により前記携帯端末の記憶手段へ転送させる制御部と
を有する管理装置をさらに備える
ことを特徴とする請求項５乃至７のいずれか１つに記載の作業管理システム。
【発明の詳細な説明】
【技術分野】
【０００１】
本発明は、設備に関する保守、点検、改修などの作業を管理するための作業管理システムに関する。
【背景技術】
【０００２】
設備の保守、点検、改修などの保全作業を行う際に、複数の関連する設備に対して漏れなく作業することが要求される場合がある。
【０００３】
たとえば、鉄道信号設備の１つである踏切は、電源装置、警報機、遮断機といった複数の設備の集合として構成されている。このため、踏切を点検する場合は、これら関連するすべての設備を漏れなく点検することが要求される。通常、踏切を構成する各設備は電気ケーブルで器具箱に接続されているので、現場ではその踏切の器具箱から出ている電気ケーブルを辿ることによって関連する設備を確認して保全作業を進めていた。
【０００４】
また、作業対象の設備にはそれぞれ作業の手順が記載された検査表が用意されており、作業者が該当する設備の検査表を現場に持参し、これを参照して各設備に対する作業を行い、その作業結果を検査表に現場で記入し、これを事務所に持ち帰って保管するという方法で作業の管理は行われていた。
【０００５】
従来は上記のように器具箱から出ている電気ケーブルを辿るという方法によって関連する設備を確認したので、関連する設備の把握に漏れの生じる虞があった。また、作業者は、一日の作業でいくつかの現場を巡る間、それらの現場で使用する多数の検査表を持ち歩く必要もあった。
【０００６】
このような問題に対し、たとえば、水道、ガス、電気などのように作業対象の設備が広範囲に点在するライフライン分野において、作業者に所持させた携帯端末からその位置情報をサーバ計算機に無線送信し、該当する現場機器の近傍に携帯端末が近づいたとき、その現場機器と同時に保守すべき他の現場機器に関する情報である同時保守情報を携帯端末にサーバ計算機から無線送信して表示させるようにした保守支援システムが提案されている（たとえば、特許文献１参照。）。この保守支援システムは、同時に保守すべき複数の現場機器に対する作業の途中で作業者がその現場を離れた場合に、これを検出して警告を発し、作業の漏れを防止するようにしている。
【０００７】
【特許文献１】特開平１１−３５３３３２号公報
【発明の開示】
【発明が解決しようとする課題】
【０００８】
上記のようにサーバ計算機から現場の携帯端末へ同時保守情報を無線送信する構成では、設備が点在する広い範囲をカバーできる安定した無線通信環境を構築する必要がある。また、無線通信のための通信費用も嵩むという問題があった。
【０００９】
さらに上記システムでは、作業途中で現場を離れると警告を出すようにしているが、作業途中で一日の終業時間になる場合もあり、このような場合には、関連する複数の設備の中のどの設備まで作業が終了し、どの設備から続きの作業を行えばよいのかを、後日の作業の再開時に正しく認識できることが望まれる。
【００１０】
本発明は、上記の問題点に鑑みてなされたものであり、現場からサーバに接続することなく、携帯端末によって関連する複数の設備を特定して作業を漏れなく進めることができ、また作業の進捗情報を現場に残して管理することのできる作業管理システムを提供することを目的としている。
【課題を解決するための手段】
【００１１】
かかる目的を達成するための本発明の要旨とするところは、次の各項の発明に存する。
【００１２】
［１］作業対象の設備が複数配置された領域に対して設けられた情報記憶媒体と、この情報記憶媒体に対して情報を読み書きする携帯端末とを備え、
前記情報記憶媒体は、該情報記憶媒体が設けられた領域に在る作業対象の設備を特定するための特定情報と前記設備に関する作業の進捗状況を示す進捗情報とを記憶するものであり、
前記携帯端末は、前記情報記憶媒体から読み取った前記特定情報および前記進捗情報に基づいて、前記情報記憶媒体の設けられている領域に在る作業対象の設備とその設備に関する作業の進捗状況を表示する機能と、前記領域での作業の終了または中断時に、前記領域に在る前記作業対象の設備に関する前記進捗情報を前記情報記憶媒体に書き込む機能とを有する
ことを特徴とする作業管理システム。
【００１３】
上記発明では、複数の設備が配置された領域に対して１つの情報記憶媒体が設けられており、この情報記憶媒体には該領域に在る設備を特定するための特定情報と作業の進捗情報とが記憶される。携帯端末は情報記憶媒体から読み取った情報に基づいて、その領域に配置されている複数の関連ある設備を特定し、さらにそれらの設備に対する作業の進捗情報を認識して表示する。作業の中断もしくは終了時には、その時点での作業の進捗情報が携帯端末から情報記憶媒体に書き込まれて更新される。このように、情報記憶媒体から情報を読み取ることでその領域にある作業対象の設備が特定されるので、ある設備に対する作業が抜け落ちるといったことが防止される。また、無線通信などでサーバなどに問い合わせることなく、現場にある情報記憶媒体から特定情報や作業の進捗情報を取得して作業を進めることができる。
【００１４】
［２］複数の設備が属する設備グループに対して設けられた情報記憶媒体と、この情報記憶媒体に対して情報を読み書きする携帯端末とを備え、
前記情報記憶媒体は、該情報記憶媒体が設けられた設備グループに属する設備を特定するための特定情報と前記設備に関する作業の進捗状況を示す進捗情報とを記憶するものであり、
前記携帯端末は、前記情報記憶媒体から読み取った前記特定情報および前記進捗情報に基づいて、前記情報記憶媒体が設けられている設備グループに属する設備とその設備に関する作業の進捗状況とを表示する機能と、前記設備グループに対する作業の終了または中断時に、前記設備グループに属する前記設備に関する作業の進捗状況を示す進捗情報を前記情報記憶媒体に書き込む機能とを有する
ことを特徴とする作業管理システム。
【００１５】
上記発明では、複数の設備が属する設備グループに対して情報記憶媒体が設けられており、この情報記憶媒体には該設備グループに属する設備を特定するための特定情報と作業の進捗情報とが記憶される。携帯端末は情報記憶媒体から読み取った情報に基づいて、その設備グループに属する複数の関連ある設備を特定し、さらにそれらの設備に対する作業の進捗情報を認識して表示する。作業の中断もしくは終了時には、その時点での作業の進捗情報が携帯端末から情報記憶媒体に書き込まれて更新される。このように、情報記憶媒体から情報を読み取ることでその設備グループに属するすべての設備が特定されるので、ある設備に対する作業が抜け落ちるといったことが防止される。また、無線通信などでサーバなどに問い合わせることなく、現場にある情報記憶媒体から特定情報や作業の進捗情報を取得して作業を進めることができる。
【００１６】
［３］前記制御手段は、作業の中断もしくは終了時に、作業者名およびまたは日時情報を前記情報記憶媒体にさらに書き込む
ことを特徴とする［１］または［２］に記載の作業管理システム。
【００１７】
上記発明では、作業の中断もしくは終了時に作業者名およびまたは日時情報を情報記憶媒体にさらに書き込む。これにより、領域もしくは設備グループに対応して設けられた情報記憶媒体を読み取ることで、その領域もしくは設備グループに属する装置に対して作業を行った作業者名や作業の行われた日時を認識でき、管理に役立てることができる。
【００１８】
［４］前記携帯端末は、作業の履歴を記憶する
ことを特徴とする［１］乃至［３］のいずれか１つに記載の作業管理システム。
【００１９】
上記発明では、携帯端末に作業履歴が残る。これにより、管理者等は作業手順通りに作業が進められたか否かなどを、記録された作業履歴によって確認することができる。
【００２０】
［５］前記携帯端末は、
前記各設備に関する作業内容を示す作業手続きデータを記憶する記憶手段と、
前記記憶手段に記憶されている作業手続きデータに基づいて作業内容を表示する表示手段と、
前記記憶手段に記憶されている前記作業手続きデータのうち前記情報記憶媒体から読み取った特定情報によって特定される設備の作業手続きデータを使用して、前記表示手段に前記情報記憶媒体から読み取った進捗情報に対応する作業内容を表示させる制御手段と、
を備える
ことを特徴とする［１］乃至［４］のいずれか１つに記載の作業管理システム。
【００２１】
上記発明では、情報記憶媒体から読み取った特定情報によって特定される設備の作業手続きデータを使用して、情報記憶媒体から読み取った作業の進捗情報に対応した作業工程の作業内容が作業者に表示される。作業内容の表示は音声による表示であってもディスプレイ画面などへの視覚的な表示であってもかまわない。
【００２２】
［６］前記制御手段は、前記表示手段によって作業内容を表示した作業工程に対する作業の終了通知を受けたとき、次の作業工程に対する作業内容を前記表示手段に表示させる
ことを特徴とする［５］に記載の作業管理システム。
【００２３】
上記発明では、ある作業工程に対する作業内容を表示した後、作業者から作業の終了通知を受けたとき、次の作業工程の作業内容を表示する。これにより、作業の進捗状況に応じた作業内容が表示される。終了通知は、特定のスイッチ操作により入力されてもよいし、作業者の声の音声認識により検知してもよく、終了通知の方法は問わない。
【００２４】
［７］前記制御手段は、作業者の発した音声を音声入力部から取り込んで音声認識し、前記表示手段によって作業内容を表示した後に前記音声認識で特定の語句が認識されたとき前記終了通知を受けたと判断する
ことを特徴とする［６］に記載の作業管理システム。
【００２５】
上記発明では、ある作業工程に対する作業内容を表示した後、作業者が特定の語句を発話したことを音声認識すると、次の作業工程の作業内容が表示される。
【００２６】
［８］作業の実施計画を示す作業計画データが記憶された作業計画記憶部と、
前記携帯端末にデータを転送する転送部と
指定された作業期間に実施が計画されている作業を前記作業計画表データから割り出し、該作業に対応する作業手続きデータを前記転送部により前記携帯端末の記憶手段へ転送させる制御部と
を有する管理装置をさらに備える
ことを特徴とする［５］乃至［７］のいずれか１つに記載の作業管理システム。
【００２７】
上記発明では、作業期間を指定すると、その期間に実施すべき作業が作業計画データに基づいて抽出され、その作業に対応する作業手続きデータが管理装置から携帯端末へ転送されて記憶される。これにより、必要な作業手続きデータの抽出および転送作業が自動化される。作業手続きデータは抽出された作業に対応してその都度作成してもよいし、必要な種類の作業手続きデータを予め作成して記憶部に記憶しておき、該記憶部から該当の作業手続きデータを転送するように構成されてもよい。
【発明の効果】
【００２８】
本発明に係る作業管理システムによれば、現場からサーバなどに接続することなく、携帯端末によって関連する複数の設備を特定して作業を進めることができ、作業の漏れを防止することができる。また、作業の進捗情報を現場に設けた情報記憶媒体に保存して管理することができる。さらに、関連する複数の設備が配置された領域もしくは関連する複数の設備が属する設備グループに対して情報記憶媒体を設け、この情報記憶媒体にその領域内もしくは設備グループ内のすべての設備に関する作業の進捗情報を保存するので、領域内もしくは設備グループ内の複数の設備に対する作業の進捗情報を一元管理することができる。
【発明を実施するための最良の形態】
【００２９】
以下、図面に基づき本発明の実施の形態を説明する。
【００３０】
図１は、本発明の実施の形態に係る作業管理システム５のシステム構成例を示している。作業管理システム５は、設備の保守や点検などの保全作業を支援し管理するシステムである。本実施の形態では、鉄道信号設備に対する保守、点検、改修などの保全作業を管理する場合を例に説明する。
【００３１】
作業管理システム５は、事務所などに設置されて作業計画の管理や作業履歴の蓄積など作業に関する総合的な管理を行う管理装置１０と、各作業者Ｍに携帯させて現場で使用させる複数台の携帯端末２０と、現場の設備Ｆに設けられる情報記憶媒体としての装置ＩＣタグ４１と、作業者Ｍの衣服などに装着される作業者毎の氏名ＩＣタグ４２とを含んで構成される。氏名ＩＣタグ４２にはその作業者に固有の作業者ＩＤが予め登録されている。
【００３２】
携帯端末２０は、作業者に各作業工程の作業内容を音声案内で出力する機能や作業者の発話した音声を認識して作業結果を判別したり作業の進行に応じて音声案内を次の作業工程に進めたりする機能を果たす。そのため、携帯端末２０には、音声案内を出力するためのスピーカ２１ａと作業者Ｍの発した声を取り込むためのマイクロフォン２１ｂとを備えたヘッドセット２１が接続される。ヘッドセット２１は作業者Ｍの頭に装着される。
【００３３】
装置ＩＣタグ４１および氏名ＩＣタグ４２はそれぞれＲＦＩＤ（Radio Frequency Identification）用のタグであり、リーダライタから非接触でタグに情報を書き込んだり、タグに記憶された情報を非接触で読み出したりすることができるものである。
【００３４】
作業管理システム５が管理する設備Ｆは、領域Ｅ毎に複数存在する。装置ＩＣタグ４１は領域Ｅに対して１対１に設けてある。ここでは、１つの領域Ｅの中に在る複数の設備Ｆの中の１つを代表設備ＦＲとし、その代表設備ＦＲにのみ装置ＩＣタグ４１を設けてある。図１に示す例では、第１の領域Ｅ（１）には設備ａ１、ａ２、ａ３、ａ４が配置されており、その中の設備ａ１が代表設備ＦＲとされて装置ＩＣタグ４１が設けられている。また第２の領域Ｅ（２）には設備ｂ１、ｂ２、ｂ３が配置されており、その中の設備ｂ１が代表設備ＦＲとされて装置ＩＣタグ４１が設けられている。
【００３５】
作業者Ｍは事務所を出発した後、目的とする現場の領域Ｅに到着すると携帯端末２０を使用してその領域Ｅに設置されている複数の設備Ｆに対する保全作業を行い、その領域Ｅでの作業が完了すると次の領域Ｅへ移動する。そして、１日の作業を終えると事務所に戻るといった形態で作業が行われる。
【００３６】
図２は、管理装置１０の概略構成を示している。管理装置１０は、当該管理装置１０の動作を統括制御する制御部１１に、各種画面の表示機能および入力操作の受付機能を果たす操作表示部１２と、携帯端末２０との間でデータを授受するための端末Ｉ／Ｆ部１３と、各種データベース１４、１５、１６などを接続して構成される。制御部１１は、図示省略のＣＰＵ（Central Processing Unit）、ＲＯＭ（Read Only Memory）、ＲＡＭ（Random Access Memory）を主要部として構成されており、ＲＯＭに格納されているプログラムをＣＰＵが実行することで当該管理装置１０としての各種機能が実現される。
【００３７】
操作表示部１２は、液晶ディスプレイ、キーボード、マウスなどのユーザ・インターフェイス機器で構成される。端末Ｉ／Ｆ部１３は、所謂、クレードルとして構成されており、携帯端末２０を端末Ｉ／Ｆ部１３の所定の箇所に載置することで携帯端末２０と端末Ｉ／Ｆ部１３との電気的な接続が成されるようになっている。
【００３８】
データベースの１つである設備情報記憶部１４には、当該管理装置１０が管理するすべての設備Ｆに関する設置場所や基本情報が登録された設備台帳１４ａなどが保存される。
【００３９】
データベースの他の１つである保守情報記憶部１５には、保守に関する図面、仕様書、作業指示書、検査表などのほか、年間を通じた作業の実施計画(月次計画や詳細日程など)を示す作業計画データ１５ａや、作業履歴を蓄積した作業履歴データ１５ｂなどが保存される。
【００４０】
データベースの他の１つである作業手続きデータ記憶部１６には、設備Ｆに対する保全作業における各作業工程の作業内容や各作業工程の実施順序などを示す作業手続きデータが保存される。ここでは作業手続きデータは携帯端末２０へダウンロードする形式の作業手続きファイル１６ａとして保存される。作業手続きファイル１６ａは、設備情報記憶部１４に保存されている作業指示書などに基づいて制御部１１によって作成され、作業手続きデータ記憶部１６に保存される。
【００４１】
なお、管理装置１０の機能は複数の装置に分けて構成されてもかまわない。たとえば、設備情報記憶部１４や保守情報記憶部１５を備えたデータサーバと、作業計画の作成や実施管理などが行われるメインサーバと、メインサーバから取得したデータに基づいて作業手続きファイル１６ａを作成する処理や携帯端末２０とのデータの授受を行う作業支援端末装置とに分けて構成し、これらをネットワークで接続するようにしてもよい。
【００４２】
図３は、作業計画データ１５ａの一例を示している。この例では、点検項目として踏切保安装置と連動装置とがあり、１月度は第１踏切と第２踏切に対する点検作業が計画され、２月度は第３踏切と第４踏切に対する点検作業が計画され、３月度はａ駅連動装置とｂ駅連動装置とｃ駅連動装置に対する点検作業が計画されている。作業計画データ１５ａは管理装置１０の操作表示部１２から管理者等により年間計画として入力され、保守情報記憶部１５に保存される。
【００４３】
図４は、設備台帳１４ａの一例を示している。この例では、踏切保安装置に関する部分を抽出して示してある。設備台帳１４ａには、装置の種別を示す装置名称（この例では踏切保安装置）と、その種別の各装置に与えられた個別名称（第１踏切、第２踏切など）と、個別名称の示す装置を構成する１または複数の設備名称（電源装置、警報機、遮断機など）と、各設備の形式や製造年月日と、ＩＣタグ番号とが対応付けて登録されている。ＩＣタグ番号は第１踏切、第２踏切などの個別名称と１対１に対応付けて登録されている。
【００４４】
第１踏切などの個別名称はその装置が配置された領域Ｅと１対１に対応しており、その領域Ｅの名称でもある。したがって、個別名称（第１踏切など）に対応付けされた設備名称（電源装置、警報機、遮断機）は、その個別名称が示す領域Ｅに配置されている各設備の名称を示していることになる。個別名称（領域名称…第１踏切など）と１対１に対応付けて設備台帳１４ａに登録されているＩＣタグ番号は、その個別名称が示す領域Ｅ内の代表設備ＦＲに設けられた装置ＩＣタグ４１の識別番号である。すなわち、設備台帳１４ａは、ＩＣタグ番号と、そのＩＣタグ番号を有する装置ＩＣタグ４１が設けられている領域Ｅに配置されているすべての設備Ｆとを関連付けている。
【００４５】
このほか図示省略してあるが、設備台帳１４ａには、個別名称の示す装置（領域Ｅ）の場所（区間）、担当区所名、設置場所、容量、各設備の製造番号なども登録される。なお、連動装置など他の装置に関する設備台帳はそれぞれの設備の内容に応じて登録される項目が変更される。
【００４６】
図５は、作業手続きファイル１６ａの一例を示している。作業手続きファイル１６ａは、第１踏切など、設備台帳１４ａの個別名称で示された装置（領域Ｅ）毎に設けられる。図５は、第１踏切に関する作業手続きファイル１６ａを示している。ヘッダ部５１には、個別名称（第１踏切）とＩＣタグ番号（Ｃ０１）とが登録されている。ボディ部５２には、作業対象の設備名称とその設備に対する作業の工程番号とが対応付けて登録されている。また各作業工程番号に対応付けて、その作業工程での作業内容が登録され、さらにその作業工程での作業履歴を登録するための作業履歴登録欄５３が設けられている。この例では、作業履歴として、作業結果（正常・異常・注意など）と、作業終了時間と、作業者ＩＤが登録される。作業内容としてはその作業工程で出力する音声案内の内容を示す文書データが登録されている。
【００４７】
図５に示す作業手続きファイル１６ａには、１レコード（横１行）に１つの作業工程に関する情報が登録されており、作業手続きファイル１６ａの先頭から作業の実施順序に従って各レコードが登録されている。このほか作業手続きファイル１６ａには、検査結果の良否を判断するための基準値、過去の検査データ、作業の開始や終了時などに出力する音声案内の内容を示す定型文やその他の固定表示情報なども登録される。なお、作業手続きファイル１６ａに登録される項目や内容は作業内容や検査内容に応じて適宜変更されてもよい。
【００４８】
図６（ａ）は、装置ＩＣタグ４１に登録される情報を示している。装置ＩＣタグ４１には、当該装置ＩＣタグ４１に割り当てられた固有のＩＣタグ番号と、作業の進捗情報と、作業者ＩＤと、作業終了日時と、作業結果とが登録される。
【００４９】
図７は、携帯端末２０の概略構成を示している。携帯端末２０は、ＣＰＵ、ＲＯＭ、ＲＡＭなどを主要部として構成された制御手段２２に、ＩＣタグ入出力処理部２３、記憶手段２４、音声認識部２５、音声合成部２６、操作表示部２８、入出力部２９、時計部３１などを接続して構成される。
【００５０】
ＩＣタグ入出力処理部２３は装置ＩＣタグ４１や氏名ＩＣタグ４２に対して情報の読み書きを行うためのリーダライタである。記憶手段２４には、管理装置１０からダウンロードされた作業手続きファイル１６ａなどが記憶される。音声合成部２６は、記憶手段２４に記憶されている作業手続きファイル１６ａに基づいて各作業工程に対する音声案内のための音声信号を合成し増幅してヘッドセット２１のスピーカ２１ａへ出力する。音声合成部２６の配下には音声信号を合成するための基礎データとなる音素・辞書ファイル２６ａが接続されている。
【００５１】
音声認識部２５はヘッドセット２１のマイクロフォン２１ｂから入力される音声信号を取り込んで解析し、その内容を言葉として認識する機能を果たす。
【００５２】
操作表示部２８は、小型の液晶ディスプレイと、その画面上に設けられたタッチパネルと、各種のスイッチとで構成される。入出力部２９は、外部装置とデータを受け渡しする機能を果たす。たとえば、端末Ｉ／Ｆ部１３を通じて管理装置１０とデータを授受する。時計部３１は、日付と日時（時、分、秒）を計時する。たとえば、作業終了時に時計部３１の計時している時刻が作業終了時刻とされる。
【００５３】
制御手段２２は、ＲＯＭに格納された作業支援プログラム３３などのプログラムに基づいて携帯端末２０全体の動作を制御する。ＩＣタグ入出力処理部２３によって装置ＩＣタグ４１から情報を読み取ったとき、作業支援プログラム３３は起動される。
【００５４】
作業支援プログラム３３は、作業手続き抽出部３３ａ、作業手続き処理部３３ｂ、履歴保存処理部３３ｃ、音声入出力部３３ｄ、終了・中断処理部３３ｅなどの機能を実現するためのプログラムで構成される。
【００５５】
作業手続き抽出部３３ａは、各領域Ｅの代表設備ＦＲに設けられた装置ＩＣタグ４１から読み取ったＩＣタグ番号（特定情報）をキーにして、このＩＣタグ番号と同じＩＣタグ番号がヘッダ部５１に登録されている作業手続きファイル１６ａを記憶手段２４の中から抽出する機能を果たす。また、この作業手続きファイル１６ａの中のどの作業工程から音声案内を開始するべきかを装置ＩＣタグ４１から読み取った進捗情報に基づいて決定する機能などを果たす。なお、ＩＣタグ番号を作業手続きファイル１６ａのファイル名に含め、ＩＣタグ番号とファイル名との比較から該当の作業手続きファイル１６ａを抽出するようにしてもよい。
【００５６】
作業手続き処理部３３ｂは、作業手続き抽出部３３ａによって抽出された作業手続きファイル１６ａを使用して、作業手続き抽出部３３ａによって決定された開始位置から各作業工程に対する音声案内を実施する機能を果たす。ここでは、音声合成部２６から音声案内を出力した作業工程に対する作業の終了通知を作業者Ｍから受けたとき、次の作業工程に対する音声案内を音声合成部２６から出力させるように制御している。より詳細には、音声合成部２６からある作業工程に対する音声案内を出力させた後、「了解」など特定の語句が音声認識されたとき、その作業工程に対する終了通知を受けたと判断して次の作業工程に進めている。
【００５７】
履歴保存処理部３３ｃは、作業工程毎にその作業工程の作業履歴を作業手続きファイル１６ａの作業履歴登録欄５３に登録する処理を行う。なお、各作業工程に要した作業時間を計時して、これを作業履歴の１つとして保存するように構成されてもよい。作業時間は、たとえば、ある作業工程に対する音声案内を出力した時点から「了解」の語句が音声認識される（終了通知を受ける）までの時間（ただし、休憩が入ったときはその間を除く）として計時する。
【００５８】
音声入出力部３３ｄは、作業手続き処理部３３ｂから音声案内として出力する文章データを受け取って音声合成部２６へ出力したり、音声認識部２５で認識された言葉を作業手続き処理部３３ｂへ引き渡したりするインターフェース機能を果たす。
【００５９】
終了・中断処理部３３ｅは、作業の中断もしくは終了時に、その時点での作業の進捗状況を示す進捗情報やその作業を行っていた作業者Ｍの作業者ＩＤなどをＩＣタグ入出力処理部２３によって装置ＩＣタグ４１に書き込む制御を行う。
【００６０】
次に、作業管理システム５における作業の流れを説明する。
【００６１】
現場での作業の開始前に、管理装置１０にて準備作業が行われる。なお、この準備作業の前に設備台帳１４ａや作業計画データ１５ａは作成されて保存されているものとする。また、装置ＩＣタグ４１や氏名ＩＣタグ４２は必要な初期データが記録されて該当する代表設備ＦＲに設けられ、作業者Ｍに渡されているものとする。
【００６２】
管理装置１０にて、作業期間を指定した保全作業の処理開始の指示が管理者などによって入力されると、管理装置１０の制御部１１は、指定された作業期間に作業を実施すべき装置（作業対象の装置で第１踏切など）を作業計画データ１５ａから抽出する。図８に示す例では、作業期間として「１月」が指定され、その期間に実施が計画されていた第１踏切と第２踏切とが作業計画データ１５ａから抽出されている（Ｐ１）。
【００６３】
次に制御部１１は、作業計画データ１５ａから抽出した作業対象の装置（第１踏切など）に対応する設備情報Ｊを設備台帳１４ａから抽出する（Ｐ２）。さらに、作業計画データ１５ａから抽出した作業対象のすべての装置に対応する作業手続きファイル１６ａを作業手続きデータ記憶部１６から抽出する（Ｐ３）。図８の例では、第１踏切に対応する作業手続きファイル１６ａ（Ｋ１）と、第２踏切に対応する作業手続きファイル１６ａ（Ｋ２）とが抽出されている。
【００６４】
その後、これらの作業手続きファイル１６ａ（Ｋ１、Ｋ２）および先に抽出した設備情報Ｊを端末Ｉ／Ｆ部１３経由で携帯端末２０へダウンロードして記憶手段２４に保存させる（Ｐ４）。
【００６５】
このように管理装置１０は、予め年間計画などの作業計画データ１５ａを登録しておけば、作業期間を指定するだけで、その作業期間に実施すべき作業に関する作業手続きファイル１６ａを自動的に抽出するので、管理者の作業が軽減されると共に、人為的な誤りが生じ難く、その時期の作業に必要な作業手続きファイル１６ａが迅速かつ確実に携帯端末２０へダウンロードされる。
【００６６】
次に、作業者Ｍの作業を説明する。
【００６７】
図９は、作業者Ｍによる作業の流れを示している。作業者Ｍは上記のようにして必要な作業手続きファイル１６ａがダウンロードされた携帯端末２０を持参して予定の現場へ出向く。このとき、まず、自分の氏名ＩＣタグ４２の上に携帯端末２０をかざして、氏名ＩＣタグ４２から作業者ＩＤなどを携帯端末２０に読み取らせる（ステップＳ１０１）。
【００６８】
作業者Ｍは該当の領域Ｅ（たとえば、第１踏切のある場所）に到着したら、その領域Ｅの代表設備ＦＲに設けられている装置ＩＣタグ４１の上に携帯端末２０をかざして装置ＩＣタグ４１から情報を読み取る(ステップＳ１０２)。ここでは、電源装置が代表設備ＦＲとされている。携帯端末２０は、代表設備ＦＲに付されている装置ＩＣタグ４１から読み取ったＩＣタグ番号（特定情報）をキーにして、当該領域Ｅに対応する作業手続きファイル１６ａを記憶手段２４の中から特定し、かつ装置ＩＣタグ４１から読み取った進捗情報に基づき、この特定された作業手続きファイル１６ａの中の該当する作業工程から音声案内を開始する。作業者Ｍは、携帯端末２０に接続されたスピーカ２１ａから流れる音声案内に従って各作業工程の作業を進める(ステップＳ１０３)。
【００６９】
たとえば、図５に示す作業手続きファイル１６ａを使用して、第１踏切に対して最初の作業工程から作業が行われる場合、まず第１踏切の電源装置に関する作業工程ａ１−０１からａ１−Ｎの音声案内が作業者の作業の進捗に合わせて順次出力される。電源装置に対する最後の作業工程が完了すると「次は警報機を検査してください。」といった音声案内が出力され、警報機へ移動するように作業者Ｍは促される。
【００７０】
その後、第１踏切の警報機に対する作業工程ａ２−０１からａ２−Ｎまでの作業が音声案内に従って行われ、警報機に対する作業が完了すると、「次は遮断機を検査してください。」といった音声案内が出力され、遮断機へ移動するように作業者Ｍは促される。さらに第１踏切の遮断機に対する作業工程ａ３−０１からａ３−Ｎまでの作業が音声案内に従って行われ、遮断機に対する作業が完了すると「このエリアはこれで終わりです。装置ＩＣタグに終了情報を書き込んでください。」といった音声案内が出力される。作業者Ｍはこの音声案内に従って携帯端末２０を操作して装置ＩＣタグ４１への終了情報の書き込みを行う。その後は、たとえば、次のエリアへ移動することを作業者Ｍに促す。
【００７１】
ある領域Ｅでのすべての設備Ｆに対する作業工程が完了した場合、あるいは終業時間の到来などでいずれかの作業工程で作業を中断する場合、作業者Ｍは作業の終了や中断の操作（終了ボタンや中断ボタンの操作あるいは「終了」、「中断」の発話など）を携帯端末２０に対して行った後、携帯端末２０を当該領域Ｅの代表設備ＦＲに設けられている装置ＩＣタグ４１の上にかざす(ステップＳ１０４)。これにより、その時点の作業の進捗状況（作業工程番号）、作業者ＩＤ、その時点の時刻情報（作業終了日時）などの終了情報が装置ＩＣタグ４１に書き込まれて、装置ＩＣタグ４１の登録内容が更新される。
【００７２】
作業者Ｍは、次の領域Ｅに移動して作業を継続する場合は（ステップＳ１０５；Ｙ）、その領域Ｅへ移動し、ステップＳ１０２から同様の作業を行う。この領域Ｅで本日の作業を終了する場合は(ステップＳ１０５；Ｎ)、事務所に戻り、携帯端末２０に記録された作業履歴を管理装置１０にアップロードして（ステップＳ１０６）作業終了となる（エンド）。このアップロード作業は管理者が行ってもよい。なお、終業時間が近い場合や本日予定されていたすべての作業が終了した場合に事務所へ戻る旨を音声案内するように構成されてもよい。
【００７３】
ここでは、管理装置１０は、携帯端末２０からアップロードした作業手続きファイル１６ａに保存されている作業履歴に関するデータを抽出し、別途の履歴ファイル（作業履歴データ１５ｂ）として保守情報記憶部１５に保存するようになっている。管理装置１０は、蓄積した作業履歴データ１５ｂから、各作業工程や各設備あるいは領域Ｅ単位の作業時間を統計的に処理して標準作業時間の算出などを行う。
【００７４】
図６（ｂ）は、前回の作業完了時の装置ＩＣタグ４１の登録内容の一例を示している。この装置ＩＣタグ４１の情報を読み取ることで次のことがわかる。進捗情報が「完了」となっていることから前回の作業は当該領域Ｅに在るすべての設備について完了された。前回の作業は作業者ＩＤ「Ａ００１」の作業者によって行われた。前回の作業終了日時は２００６年６月２０日の午前４時１０分３０秒である。前回の作業は「正常」に完了している。たとえば、携帯端末２０で装置ＩＣタグ４１を読み取ったとき、上記の情報が携帯端末２０の画面に表示されてもよい。
【００７５】
図６（ｃ）は、作業の中断により終業情報が書き込まれた装置ＩＣタグ４１の登録内容の一例を示している。この例では、作業工程番号「ａ２−０２」の作業工程まで作業が終了していること、その作業者Ｍの作業者ＩＤが「Ｍ００５」であること、中断したときの作業終了日時が２００７年２月１２日の午前５時００分００秒であることなどが装置ＩＣタグ４１に記録されている。
【００７６】
翌日、この領域Ｅに来て作業者Ｍが図９に示した作業を開始すると、そのステップＳ１０２の作業で装置ＩＣタグ４１から図６（ｃ）に示す情報が読み取られる。この情報に基づき携帯端末２０は、作業工程番号「ａ２−０２」の次の作業工程から作業の音声案内を開始する。
【００７７】
図６（ｄ）は、すべての作業工程が完了して終了情報が書き込まれた場合の装置ＩＣタグ４１の登録内容の一例を示している。進捗情報の欄には「完了」が登録されている。この例では、作業者ＩＤが「Ｍ００５」であること、作業終了日時が２００７年２月１３日午前１時３４分００秒であることが登録されている。
【００７８】
たとえば、同一領域Ｅに対する重複作業の警告期間（たとえば２ヶ月）を予め設定しておき、装置ＩＣタグ４１から読み取った情報が作業の完了を示しかつ現在日時がその作業終了日時から警告期間以内の場合は、自動的に警告を発して重複した作業の発生を防止するように構成するとよい。
【００７９】
図１０は、携帯端末２０が行う処理の流れを示している。携帯端末２０は、作業者Ｍが当該携帯端末２０を氏名ＩＣタグ４２の上にかざしたとき、その氏名ＩＣタグ４２から作業者ＩＤを読み取って内部メモリに保存する(ステップＳ２０１)。また、作業者が現場の領域Ｅに到着して代表設備ＦＲに設けられている装置ＩＣタグ４１の上に携帯端末２０をかざしたとき、その装置ＩＣタグ４１からＩＣタグ番号(特定情報)や進捗情報などの情報を読み取って内部メモリに保存する（ステップＳ２０２）。次に、その読み取ったＩＣタグ番号に対応する作業手続きファイル１６ａを自端末２０の記憶手段２４内で検索する（ステップＳ２０３）。該当の作業手続きファイル１６ａが記憶手段２４に記憶されていない場合は（ステップＳ２０４；Ｎ）、その旨のエラー通知（警告音の出力やエラーメッセージの表示）を行って(ステップＳ２０５)処理を終了する（エンド）。
【００８０】
装置ＩＣタグ４１から読み取ったＩＣタグ番号に一致する作業手続きファイル１６ａが記憶手段２４に記憶されている場合は(ステップＳ２０４；Ｙ)、装置ＩＣタグ４１から読み取った進捗情報（作業工程番号）に応じた作業工程を音声案内の開始位置に設定する(ステップＳ２０６)。
【００８１】
次に、その作業工程に対応する音声案内データ（作業内容）を該当の作業手続きファイル１６ａから読み出し、該案内音声データに対応する音声信号を音声合成部２６で合成してヘッドセット２１のスピーカ２１ａから音声案内として出力する(ステップＳ２０７)。
【００８２】
上記音声案内を出力した後、携帯端末２０はマイクロフォン２１ｂから入力される作業者Ｍの声に対する音声認識処理の実行状態になる（ステップＳ２０８）。ここで、「了解」など特定の語句が認識されると(ステップＳ２０９；Ｙ)、現在の作業工程に対応する作業履歴登録欄５３に、作業結果（了解の場合は「正常」）、作業終了時間、作業者ＩＤなどの作業履歴を記憶する（ステップＳ２１０）。
【００８３】
作業履歴を記憶した後、次の作業工程に進める(ステップＳ２１１)。ここで、次の作業工程が作業手続きファイル１６ａに登録されている場合は (ステップＳ２１２；Ｎ)、ステップＳ２０７に戻って、次の作業工程に対する音声案内の出力処理を実行する。次の作業工程が作業手続きファイル１６ａに登録されていない場合は当該作業手続きファイル１６ａ（この領域Ｅ、たとえば第１踏切）に関する作業は完了となり(ステップＳ２１２；Ｙ)、装置ＩＣタグ４１に対して、図６（ｄ）に示すような作業完了用の終了情報を書き込み(ステップＳ２１４)、処理を終了する（エンド）。
【００８４】
なお、作業の途中で、作業の中断操作を受けた場合は（ステップＳ２１３；Ｙ）、装置ＩＣタグ４１に対して図６（ｃ）に示すような作業中断用の終了情報を書き込み(ステップＳ２１４)、処理を終了する（エンド）。
【００８５】
また、図１０に示す流れ図では省略したが、音声認識では「了解」以外の語句、たとえば、「開始」、「終了」、「停止」、「終わりました」などの語句についても認識しており、その認識結果に応じた処理が行われる。さらに、図１０では省略したが、各種操作ボタンの受付も行っており、それらの操作に応じた処理も行われる。
【００８６】
以上のように本実施の形態にかかわる作業管理システム５では、領域Ｅ内に配置された複数の設備Ｆの中の１つ（代表設備ＦＲ）にのみ装置ＩＣタグ４１を設け、この装置ＩＣタグ４１に当該領域Ｅに在る複数の設備Ｆを特定するための特定情報（ＩＣタグ番号）とこの領域Ｅにおける作業の進捗情報とを記憶している。このため、装置ＩＣタグ４１から読み取った特定情報に基づいてその領域Ｅに在るすべての設備Ｆを特定することができ、いずれかの設備Ｆに対する作業が抜け落ちるなどの作業漏れを防止することができる。
【００８７】
また、領域Ｅが複数存在する場合でも、領域Ｅの代表設備ＦＲに設けられた装置ＩＣタグ４１から読み取った特定情報に基づいてその領域Ｅに対する作業手続きファイル１６ａが正しく特定されるので、他の領域Ｅに対する作業手続きファイル１６ａに基づいて誤った作業が行われることはない。
【００８８】
また、作業を途中で中断した場合でも、中断時の進捗情報を装置ＩＣタグ４１に書き込むので、後日、作業を再開する場合に装置ＩＣタグ４１から読み取った進捗情報により、どの設備のどの作業工程まで作業が終了しているかを認識でき、該進捗状況に応じた作業工程、すなわち、前回中断時の続きの作業工程から作業を再開することができる。
【００８９】
さらに領域Ｅ内の１つの装置ＩＣタグ４１にのみ作業の進捗情報を記録して管理するので、領域Ｅ内の複数の設備Ｆに対する進捗情報が領域Ｅを単位にして一元管理される。また、現場に設けた装置ＩＣタグ４１に作業の進捗情報を記録するので、作業者Ｍは携帯端末２０を無線通信によって事務所のサーバなどに接続することなく各現場（領域Ｅ）でその領域Ｅにおける作業の進捗情報を知ることができる。さらに、携帯端末２０を他の作業者のものと取り違えたりするなどの混乱があっても、装置ＩＣタグ４１に記録されている進捗情報に基づいて作業の案内が開始されるので、前回の続きの設備および作業工程から正しく作業を再開することができる。
【００９０】
なお、作業手続きファイル１６ａを特定して作業の案内を行うといった機能を携帯端末２０が有していない場合でも、たとえば、装置ＩＣタグ４１から読み取った特定情報および進捗情報を携帯端末２０の表示画面に表示したり音声で作業者Ｍにその内容を通知したりするようにすれば、作業者Ｍは当該領域Ｅにある作業対象の設備Ｆやそれらの設備Ｆに対する作業の進捗状況を確認することができ、作業に役立てることができる。
【００９１】
また、各作業工程の作業内容を音声案内するので、作業者Ｍは作業手順書を暗記しなくても作業を進めることができる。また、作業手続きファイル１６ａに従って各作業工程を音声案内し、「了解」などの応答を確認して次の作業工程に進めるので、作業手続きファイル１６ａに登録してある作業手順通りに作業が行われることが厳守される。さらに、「了解」の語句を認識したことなどを作業履歴として記録するので、作業手続きファイル１６ａの通りに確実に作業が行われたことを履歴に残すことができる。
【００９２】
また、作業者Ｍの発話した語句を音声認識して作業者Ｍからの指示や応答を受け付けるので、携帯端末２０に対する作業者Ｍの操作負担が軽減する。
【００９３】
さらに、携帯端末２０に作業中の作業履歴を保存するので、作業者Ｍが事務所に持ち帰った携帯端末２０からその作業履歴を管理装置１０にアップロードでき、現場から作業結果を管理装置１０へ無線送信する必要はない。また、アップロードした作業履歴を管理装置１０に蓄積し、統括的な管理が可能になる。たとえば、作業の進捗状況に応じて作業計画データ１５ａを自動的に修正したり管理者による見直しなどが可能になる。
【００９４】
以上、本発明の実施の形態および実施例を図面によって説明してきたが、具体的な構成は例示したものに限られるものではなく、本発明の要旨を逸脱しない範囲における変更や追加があっても本発明に含まれる。
【００９５】
実施の形態では鉄道信号設備を例に説明したが、作業対象は他の設備があってもかまわない。たとえば、宿泊施設の各客室をそれぞれ１つの領域Ｅとし、客室の入口近くにその客室の設備を代表して１つのＩＣタグを設け、該ＩＣタグにその客室にある各種作業対象の設備（ベッド、バスルーム、机、備品など）を特定するための特定情報と作業の進捗情報とを記録するようなシステムであってもかまわない。このシステムでは、作業者が携帯端末を客室入口のＩＣタグにかざすと、その客室に対して実施すべきすべての作業を確認でき、さらにその客室に対する作業の進捗状況を確認することができる。
【００９６】
また、実施の形態では、領域Ｅを単位としたが、領域Ｅに代えて、複数の設備に対して設備グループを設定し、１つの設備グループに対して１つの装置ＩＣタグ４１（情報記録媒体）を設けるように構成されてもよい。たとえば、踏切を構成する電源装置、警報機、遮断機の３つの設備を１つの設備グループとし、該設備グループに対して１つの装置ＩＣタグ４１を設けるようにされてもよい。
【００９７】
１つの設備グループに属する設備は特定の領域内に集まって配置されていることが望ましいが、１つの領域の中に複数の設備グループが混在して存在してもかまわないし、１つの設備グループに属する複数の設備が複数の離れた場所に別れて配置されてもかまわない。領域に拘束されない管理ができる。
【００９８】
実施の形態では、作業内容を音声案内で出力するようにしたが、携帯端末２０の画面に表示してもかまわない。また、音声案内を出力した作業工程に対する作業の終了通知を作業者Ｍの発話した「了解」などの特定語句を音声認識することによって検出したが、操作ボタンの操作など他の方法で作業の終了通知を受けるように構成されてもよい。
【００９９】
また、装置ＩＣタグ４１に記憶する特定情報はＩＣタグ番号のようなインデックス情報あるいはキー情報である必要はなく、たとえば、その領域Ｅや設備グループ内のすべての設備の名称や識別情報の一覧を特定情報にしてもよい。また、装置ＩＣタグ４１に保存する作業の進捗情報は、その領域Ｅあるいは設備グループ内の設備毎に作業の進捗状況を示すものであってもよい。たとえば、設備ａ１（完了、○月×日、作業者Ａ）、設備ａ２（注意、○月△日、作業者Ｂ）、設備ａ３（未作業）というように設備毎の情報を装置ＩＣタグ４１に記録するようにしてもよい。該情報によりこの領域Ｅもしくは設備グループには設備ａ１、ａ２、ａ３が属していることが特定され、さらにそれぞれの設備について作業状況や作業日時、作業者を確認することができる。
【０１００】
また、実施の形態では作業手続きファイル１６ａに作業履歴を記憶するようにしたが、別途のファイルや記憶装置に作業履歴を記憶させてもかまわない。
【０１０１】
装置ＩＣタグ４１は、代表設備ＦＲに設けるほか、設備とは別に専用の標識などに付されてもかまわない。装置ＩＣタグ４１は作業者Ｍにとって分かりやすい場所に設けることが望ましい。また、情報記録媒体はＩＣタグに限定されるものではなく、たとえば、メモリーカードなどでもかまわない。
【図面の簡単な説明】
【０１０２】
【図１】本発明の実施の形態にかかわる作業管理システムのシステム構成を示す説明図である。
【図２】本発明の実施の形態にかかわる作業支援システムに含まれる管理装置の構成を示すブロック図である。
【図３】作業計画データのデータ構造の一例を示す説明図である。
【図４】設備台帳のデータ構造の一例を示す説明図である。
【図５】作業手続きファイルのデータ構造の一例を示す説明図である。
【図６】装置ＩＣタグに登録される情報を例示した説明図である。
【図７】本発明の実施の形態にかかわる作業支援システムに含まれる携帯端末の構成を示すブロック図である。
【図８】管理装置において指定された作業期間に対応する作業手続きファイルが携帯端末にダウンロードされる処理過程を例示した説明図である。
【図９】作業者による作業の流れを示す流れ図である。
【図１０】携帯端末の行なう処理を示す流れ図である。
【符号の説明】
【０１０３】
５…作業管理システム
１０…管理装置
１１…制御部
１２…操作表示部
１３…端末Ｉ／Ｆ部
１４…設備情報記憶部
１４ａ…設備台帳
１５…保守情報記憶部
１５ａ…作業計画データ
１５ｂ…作業履歴データ
１６…作業手続きデータ記憶部
１６ａ…作業手続きファイル
２０…携帯端末
２１…ヘッドセット
２１ａ…スピーカ
２１ｂ…マイクロフォン
２２…制御手段
２３…ＩＣタグ入出力処理部
２４…記憶手段
２５…音声認識部
２６…音声合成部
２６ａ…音素・辞書ファイル
２８…操作表示部
２９…入出力部
３１…時計部
３３…作業支援プログラム
３３ａ…作業手続き抽出部
３３ｂ…作業手続き処理部
３３ｃ…履歴保存処理部
３３ｄ…音声入出力部
３３ｅ…終了・中断処理部
４１…装置ＩＣタグ
４２…氏名ＩＣタグ
５１…ヘッダ部
５２…ボディ部
５３…作業履歴登録欄
Ｅ…領域
Ｆ…設備
ＦＲ…代表設備
Ｊ…設備情報
Ｍ…作業者
【図１】
2008226074.tif 000003
【図２】
2008226074.tif 000004
【図３】
2008226074.tif 000005
【図４】
2008226074.tif 000006
【図５】
2008226074.tif 000007
【図６】
2008226074.tif 000008
【図７】
2008226074.tif 000009
【図８】
2008226074.tif 000010
【図９】
2008226074.tif 000011
【図１０】
2008226074.tif 000012